(57)【要約】【課題】光処理部と反射部との隙間から他の光源の領域に光が漏れるのを抑制することにより、表示部の各光源の領域ごとの明暗のメリハリをより付けることが可能な表示装置を提供する。【解決手段】この表示装置１００は、液晶セル１１と、液晶セル１１の背面１１ｂ側に背面１１ｂと平行に配置された第１底部１６ａと、第１底部１６ａの外周縁から背面１１ｂに向かって延びる第１周辺部１６ｂとを有し、第１底部１６ａの面と第１周辺部１６ｂの面とが鈍角θ１をなす複数の第１反射部１６０ａと、液晶セル１１と第１反射部１６０ａとの間に配置された光学シート１３と、各々の第１底部１６ａの面上に配置された光源１５とを備え、光学シート１３と第１反射部１６ａとは、所定距離ｈ離間して配置されている。【選択図】図２
2018018622.tif 000002
【特許請求の範囲】
【請求項１】
表示部と、
前記表示部の背面側に配置された第１底部と、前記第１底部の外周縁から前記背面に向かって延びる第１周辺部とを有し、前記第１底部の面と前記第１周辺部の面とが鈍角をなす複数の第１反射部と、
前記表示部と前記第１反射部との間に配置された光処理部と、
各々の前記第１底部の面上に配置された光源とを備え、
前記光処理部と前記第１反射部とは、所定距離離間して配置されている、表示装置。
【請求項２】
複数の前記第１反射部は、略等間隔で配置されている、請求項１に記載の表示装置。
【請求項３】
前記第１底部は、多角形形状に形成されている、請求項１または２に記載の表示装置。
【請求項４】
前記第１底部は、正六角形形状に形成され、隣接する前記第１周辺部の各辺に接触している、請求項１〜３のいずれか１項に記載の表示装置。
【請求項５】
複数の前記第１反射部は、一体的に形成されている、請求項１〜４のいずれか１項に記載の表示装置。
【請求項６】
複数の前記第１周辺部の前記光処理部側の各端部と前記光処理部との間の距離は、略等しい、請求項１〜５のいずれか１項に記載の表示装置。
【請求項７】
前記鈍角をθ１とすると、θ１は、９０°＜θ１≦１３５°という条件を満たしている、請求項１〜６のいずれか１項に記載の表示装置。
【請求項８】
前記鈍角をθ１とすると、θ１は、１２５°≦θ１≦１３５°という条件を満たしている、請求項７に記載の表示装置。
【請求項９】
前記第１底部と前記光処理部との間の距離をｒとし、前記所定距離をｈとすると、ｒとｈとは、０．２ｒ≦ｈ≦０．８ｒという条件を満たしている、請求項１〜８のいずれか１項に記載の表示装置。
【請求項１０】
前記第１底部と前記光処理部との間の距離をｒとし、前記所定距離をｈとすると、ｒとｈとは、０．２ｒ≦ｈ≦０．５ｒという条件を満している、請求項１〜８のいずれか１項に記載の表示装置。
【請求項１１】
前記第１底部と前記光処理部との間の距離をｒとし、前記所定距離をｈとすると、ｒとｈとは、０＜ｈ≦０．０４ｒという条件を満たしている、請求項１〜８のいずれか１項に記載の表示装置。
【請求項１２】
前記第１底部の面に垂直な方向において、前記第１底部と前記第１周辺部の前記光処理部側の端部との間の距離は、前記第１底部と前記光源の前記光処理部側の端部との間の距離よりも長い、請求項１〜１１のいずれか１項に記載の表示装置。
【請求項１３】
前記第１周辺部は、前記外周縁に位置する上底と、前記上底より長い下底とを有する台形形状に形成されている、請求項１〜１２のいずれか１項に記載の表示装置。
【請求項１４】
前記第１周辺部の斜辺と前記下底とのなす角度をθ２とすると、θ２は、６０°＜θ２＜９０°という条件を満たしている、請求項１３に記載の表示装置。
【請求項１５】
隣接する前記第１周辺部の斜辺は、互いに接触している、請求項１３または１４に記載の表示装置。
【請求項１６】
前記表示部は、矩形形状に形成され、
前記外周縁は、前記表示部の長辺または短辺に平行に配置されている、請求項４に記載の表示装置。
【請求項１７】
前記表示部は、矩形形状に形成され、
前記表示部の長辺および短辺に沿って配置され、五角形形状または四角形形状の第２底部と、前記第２底部の外周縁から前記背面に向かって延びる第２周辺部とを有する複数の第２反射部を備え、
前記第２底部の面積は、前記第１底部の面積よりも小さい、請求項４に記載の表示装置。
【請求項１８】
前記光源は、前記第２底部の面上にそれぞれ配置され、
前記第２底部の面上に配置された前記光源の光の強度を、前記第１底部の面上に配置された前記光源の光の強度よりも小さくする光強度調整部を備える、請求項１７に記載の表示装置。
【請求項１９】
前記光強度調整部は、デューティ比、または、前記光源に供給する電力値に基づいて、前記光源の光の強度を調整する、請求項１８に記載の表示装置。
【請求項２０】
前記複数の第１反射部および前記複数の第２反射部は、一体的に形成されている、請求項１７〜１９のいずれか１項に記載の表示装置。
【発明の詳細な説明】
【技術分野】
【０００１】
この発明は、表示装置に関し、特に、光源からの光を表示部側に反射する反射部材を備える表示装置に関する。
【背景技術】
【０００２】
従来、光源からの光を表示部側に反射する反射部材を備える表示装置が知られている（たとえば、特許文献１参照）。
【０００３】
上記特許文献１には、表示部と、表示部の背面側に配置され、表示部の背面に直交する方向に延びる複数の反射部と、各々の反射部の内側に配置される光源と、表示部および反射部との間に配置される光処理部とを備えた表示装置が開示されている。光処理部と反射部とは離間して配置されている。
【先行技術文献】
【特許文献】
【０００４】
【特許文献１】特表２００５−５２０１８８号公報
【発明の概要】
【発明が解決しようとする課題】
【０００５】
しかしながら、上記特許文献１では、光源からの出射光のうち、表示部の背面に直交する方向に対して比較的大きな角度を有して出射される光は、表示部の背面と反射部とが直交していることから、出射された際の背面に対する角度を維持しながら光処理部の近傍に反射しながら近づくとともに、光処理部と反射部との隙間から他の光源の領域に漏れてしまうという不都合がある。その結果、表示部の光源（反射部）の領域ごとの明暗のメリハリが付きにくくなるという問題点がある。
【０００６】
この発明は、上記のような課題を解決するためになされたものであり、この発明の１つの目的は、光処理部と反射部との隙間から他の光源の領域に光が漏れるのを抑制することにより、表示部の各光源の領域ごとの明暗のメリハリをより付けることが可能な表示装置を提供することである。
【課題を解決するための手段】
【０００７】
この発明の一の局面による表示装置は、表示部と、表示部の背面側に背面と略平行に配置された第１底部と、第１底部の外周縁から背面に向かって延びる第１周辺部とを有し、第１底部の面と第１周辺部の面とが鈍角をなす複数の第１反射部と、表示部と第１反射部との間に配置された光処理部と、各々の第１底部の面上に配置された光源とを備え、光処理部と第１反射部とは、所定距離離間して配置されている。
【０００８】
この発明の一の局面による表示装置では、上記のように、第１底部の面と第１周辺部の面とが鈍角をなす、複数の第１反射部と、表示部と第１反射部との間に配置された光処理部を設ける。これにより、光源からの出射光のうち、表示部の背面に直交する方向に対して比較的大きな角度を有して出射される光を、第１底部と鈍角をなす第１周辺部において反射することにより、より表示部の背面に直交する方向に沿った光とすることができるので、光処理部と第１反射部との隙間から他の光源の領域に光が漏れるのを抑制することができる。その結果、表示部の各光源の領域ごとの明暗のメリハリをより付けることができる。また、第１底部により光を表示部側に反射することができるので、輝度を効果的に大きくすることができ、表示部のコントラスト比を向上させることができる。
【０００９】
上記一の局面による表示装置において、好ましくは、複数の第１反射部は、略等間隔で配置されている。このように構成すれば、各第１反射部および各光源が略等間隔で配置されるので、各光源（第１反射部）の領域ごとに輝度むらができるのを抑制することができる。
【００１０】
上記一の局面による表示装置において、好ましくは、第１底部は、多角形形状に形成されている。
【００１１】
上記一の局面による表示装置において、好ましくは、第１底部は、正六角形形状に形成され、隣接する第１周辺部の各辺に接触している。このように構成すれば、第１底部と隣接する第１周辺部の各辺との間から光が漏れるのを抑制することができるので、光の漏れにより、輝度が低下するのを抑制することができる。
【００１２】
上記一の局面による表示装置において、好ましくは、複数の第１反射部は、一体的に形成されている。このように構成すれば、複数の第１反射部を別々に形成するよりも、容易に複数の第１反射部を形成することができる。
【００１３】
上記一の局面による表示装置において、好ましくは、複数の第１周辺部の光処理部側の各端部と光処理部との間の距離は、略等しい。このように構成すれば、第１周辺部の光処理部側の各端部と光処理部との間の距離が、種々の距離に設定されている場合と比較して、各光源（第１反射部）の領域ごとに輝度むらができるのを抑制することができる。
【００１４】
上記一の局面による表示装置において、好ましくは、鈍角をθ１とすると、θ１は、９０°＜θ１≦１３５°という条件を満たしている。このように構成すれば、光源からの光を好ましい角度により光処理部に向けて反射することができる。
【００１５】
この場合、好ましくは、鈍角をθ１とすると、θ１は、１２５°≦θ１≦１３５°という条件を満たしている。このように構成すれば、光源からの光をより好ましい角度により光処理部に向けて反射することができる。
【００１６】
上記一の局面による表示装置において、好ましくは、第１底部と光処理部との間の距離をｒとし、所定距離をｈとすると、ｒとｈとは、０．２ｒ≦ｈ≦０．８ｒという条件を満たしている。
【００１７】
上記一の局面による表示装置において、好ましくは、第１底部と光処理部との間の距離をｒとし、所定距離をｈとすると、ｒとｈとは、０．２ｒ≦ｈ≦０．５ｒという条件を満している。
【００１８】
上記一の局面による表示装置において、好ましくは、第１底部と光処理部との間の距離をｒとし、所定距離をｈとすると、ｒとｈとは、０＜ｈ≦０．０４ｒという条件を満たしている。
【００１９】
上記一の局面による表示装置において、好ましくは、第１底部の面に垂直な方向において、第１底部と第１周辺部の光処理部側の端部との間の距離は、第１底部と光源の光処理部側の端部との間の距離よりも長い。このように構成すれば、表示部と光源との間に、第１周辺部の光処理部側の端部が配置されるので、表示部と第１周辺部の光処理部側の端部との間に光源が配置される場合と比較して、第１反射部より多くの光を反射して、光の反射方向を調整することができる。その結果、隣接する領域に光が漏れることを抑制しつつ、表示部での明暗のメリハリをより付けることができる。
【００２０】
上記一の局面による表示装置において、好ましくは、第１周辺部は、外周縁に位置する上底と、上底より長い下底とを有する台形形状に形成されている。
【００２１】
この場合、好ましくは、第１周辺部の斜辺と下底とのなす角度をθ２とすると、θ２は、６０°＜θ２＜９０°という条件を満たしている。
【００２２】
上記第１周辺部が上底と下底とを有する台形形状に形成されている構成において、好ましくは、隣接する第１周辺部の斜辺は、互いに接触している。このように構成すれば、第１周辺部は、隣接する他の第１周辺部と斜辺が接触するように配置されることにより、隙間なく第１底部を囲うように配置することができる。
【００２３】
上記第１底部が正六角形形状に形成された構成において、好ましくは、表示部は、矩形形状に形成され、外周縁は、表示部の長辺または短辺に平行に配置されている。このように構成すれば、複数の第１反射部は、それぞれ、六角形形状の対向する１組の辺が表示面の縦方向（横方向）に延びる場合には、光源が横方向（縦方向）に直線的に隣接して並ぶように配列されるので、光源が並ぶ配列方向に沿って、光源の列単位で液晶の透過度を変えるなどの光の強度調整を行うことができる。その結果、光源の列内での輝度むらを抑制することができる。
【００２４】
上記第１底部が正六角形形状に形成された構成において、好ましくは、表示部は、矩形形状に形成され、表示部の長辺および短辺に沿って配置され、五角形形状または四角形形状の第２底部と、第２底部の外周縁から背面に向かって延びる第２周辺部とを有する複数の第２反射部を備え、第２底部の面積は、第１底部の面積よりも小さい。このように構成すれば、正六角形形状の第１底部を有する第１反射部と、五角形形状または四角形形状の第２底部を有する第２反射部とを敷き詰めて矩形形状とすることができるので、隙間なく表示部の背面側に光源からの光を反射するための構成を配置することができる。その結果、光源からの光を効率的に表示部側に反射することができる。
【００２５】
この場合、好ましくは、光源は、第２底部の面上にそれぞれ配置され、第２底部の面上に配置された光源の光の強度を、第１底部の面上に配置された光源の光の強度よりも小さくする光強度調整部を備える。このように構成すれば、小さい面積の第２底部側に配置される光源の光の強度が小さくされるので、表示部の縁部近傍（外側）の光源と表示部の内側の光源とに起因する輝度むらを抑制することができる。
【００２６】
上記光強度調整部を備える構成において、好ましくは、光強度調整部は、デューティ比、または、光源に供給する電力値に基づいて、光源の光の強度を調整する。このように構成すれば、デューティ比、または、光源に供給する電力値を調整することにより、容易に光源の光の強度を調整することができる。
【００２７】
上記第２底部と第２周辺部とを有する複数の第２反射部を備える構成において、好ましくは、複数の第１反射部および複数の第２反射部は、一体的に形成されている。このように構成すれば、複数の第１反射部および複数の第２反射部がそれぞれ別体で構成される場合と比較して、部品点数を減らし、装置構成を簡素化することができる。
【発明の効果】
【００２８】
本発明によれば、上記のように、光処理部と反射部との隙間から他の光源の領域に光が漏れるのを抑制することにより、表示部の各光源の領域ごとの明暗のメリハリをより付けることが可能な表示装置を提供することができる。
【図面の簡単な説明】
【００２９】
【図１】本発明の第１〜第３実施形態による表示装置を後方から示した分解斜視図である。
【図２】本発明の第１実施形態による表示装置の反射シートおよび光源を示した模式的な側面図である。
【図３】本発明の第１実施形態による表示装置の光源の断面形状を示した図である。
【図４】本発明の第１実施形態による表示装置の反射シートの展開状態を示した図である。
【図５】本発明の第１実施形態による表示装置の反射シートを折り曲げた状態の第１底部および縁部壁状反射部を前方から見た図である。
【図６】本発明の第１実施形態による表示装置の反射シートを折り曲げた状態の第１底部および縁部壁状反射部を示した斜視図である。
【図７】図７に示す第１底部および縁部壁状反射部の一部分を示す図である。
【図８】本発明の第１実施形態による表示装置の反射シートを展開した状態の第１底部および縁部壁状反射部を前方から見た図である。
【図９】本発明の第２実施形態による表示装置の光源の断面形状を示した図である。
【図１０】本発明の第１変形例による表示装置の反射シートを示した模式的な斜視図である。
【発明を実施するための形態】
【００３０】
以下、本発明の実施形態を図面に基づいて説明する。
【００３１】
（第１実施形態）
図１〜図８を参照して、本発明の第１実施形態による表示装置１００の構成について説明する。
【００３２】
本発明の第１実施形態による表示装置１００は、図１に示すように、表示モジュール１と、表示モジュール１を収容するフロントキャビネット２およびリアキャビネット３とを備えている。
【００３３】
表示モジュール１は、液晶セル１１と、液晶セル１１を保持するモールドフレーム１２と、各種の光学シート１３と、リアフレーム１４と、複数の光源１５と、反射シート１６と、光強度調整部１７（図２参照）とを含んでいる。なお、液晶セル１１は、特許請求の範囲の「表示部」の一例である。また、光学シート１３は、特許請求の範囲の「光処理部」の一例である。
【００３４】
フロントキャビネット２は、表示モジュール１を覆うように設けられ、リアフレーム１４に固定されている。液晶セル１１は、表示面１１ａ、および、表示面１１ａの後方（Ｙ２方向）に位置する背面１１ｂを有している。以下では、前後方向（Ｙ方向）および上下方向（Ｚ方向）に直交する方向を横方向（Ｘ方向、左右方向）とする。また、横方向（Ｘ方向）および上下方向（Ｚ方向）を合わせて側方という。つまり、前後方向（Ｙ方向）に直交する方向を側方という。
【００３５】
液晶セル１１は、横方向（Ｘ方向）を長手方向とする矩形形状を有している。モールドフレーム１２は、樹脂製の枠状部材であり、前方側（Ｙ１方向側）において液晶セル１１を保持している。また、モールドフレーム１２は、後方側（Ｙ２方向側）において、光学シート１３を保持している。また、モールドフレーム１２は、フロントキャビネット２の内側に配置されている。また、光学シート１３は、液晶セル１１と光源１５との間に配置され、拡散板やその他の機能性シートなどを含んでおり、複数設けられている。
【００３６】
リアフレーム１４は、板金製であり、表示モジュール１の後側を覆うように形成されている。このリアフレーム１４には、フロントキャビネット２およびリアキャビネット３（図１参照）や、種々の回路基板（図示せず）などが取り付け固定される。
【００３７】
光源１５は、液晶セル１１の後方側（Ｙ２方向側）に複数配置され、液晶セル１１の後方側から液晶セル１１に光を照射するように構成されている。すなわち、表示装置１００は、いわゆる直下型照明タイプの液晶表示装置である。複数の光源１５は、側方においてアレイ状に配置されている。なお、光源１５は、後述する第１底部１６ａの面上に配置されている。
【００３８】
詳細には、複数の光源１５は、上下方向（Ｚ方向）に並ぶ列状に配置されている。この上下方向に並ぶ列状の複数の光源１５（光源列）は、横方向（Ｘ方向）に複数列配置されている。また、Ｘ１方向側から数えて奇数番目の光源列を構成する複数の光源１５は、それぞれ、上下方向（Ｚ方向）において、同じ高さ位置に配置されている。また、Ｘ１方向側から数えて偶数番目の光源列を構成する複数の光源１５は、それぞれ、上下方向において、奇数番目の光源列を構成する複数の光源１５の中間の高さ位置に配置されている。また、Ｘ１方向側から数えて奇数番目の光源列を構成する複数の光源１５と、偶数番目の光源列を構成する複数の光源１５とは、横方向（Ｘ方向）において、等間隔で配列されている。例外的に、液晶セル１１の縁部１１ｃの近傍に配置される光源１５（後述する第２周辺部１６ｄに囲まれる光源１５）は、前方から見て（Ｙ１方向から見て）、縁部１１ｃと重ならないように、僅かに液晶セル１１の内側寄りに配置されている。なお、図１では、説明の便宜上、１つの光源１５を代表して図示している。
【００３９】
光源１５は、図３に示すように、発光素子パッケージ１５ａと、レンズ部１５ｂと、発光素子パッケージ１５ａを実装する基板（図示せず）とを含んでいる。
【００４０】
発光素子パッケージ１５ａは、光を出射する発光素子１５１と、封止部１５２と、反射部１５３とを含んでいる。発光素子１５１の具体例としては、ＬＥＤ（Ｌｉｇｈｔ  ｅｍｉｔｔｉｎｇ  ｄｉｏｄｅ）や有機エレクトロルミネッセンスなどが挙げられる。封止部１５２は、発光素子１５１を封止している。また、封止部１５２は、蛍光体を含有している。反射部１５３は、発光素子１５１および封止部１５２の後方（Ｙ２方向）に配置されている。また、反射部１５３は、発光素子１５１の側方および後方を覆うように後方に窪む凹形状を有している。また、反射部１５３は、発光素子１５１からの光をレンズ部１５ｂ側に反射するように構成されている。
【００４１】
レンズ部１５ｂは、発光素子パッケージ１５ａの前面と当接状態で発光素子パッケージ１５ａの前方に配置されている。また、レンズ部１５ｂは、円形状に形成され、発光素子１５１からの光を周方向に略均等に拡散するように構成されている。つまり、レンズ部１５ｂは、前方に突出する半球形状が前後方向に潰された形状（お椀形状）を有している。
【００４２】
反射シート１６は、複数の第１反射部１６０ａと複数の第２反射部１６０ｂとを備えている。第１反射部１６０ａは、図１に示すように、第１底部１６ａと、第１周辺部１６ｂとを含んでいる。また、第２反射部１６０ｂは、第２底部１６ｃと、第２周辺部１６ｄとを含んでいる。また、反射シート１６は、複数の第１底部１６ａと、複数の第１周辺部１６ｂと、複数の第２周辺部１６ｄとにより、光源１５からの光を液晶セル１１側に反射するように構成されている。複数の第１底部１６ａと、複数の第１周辺部１６ｂと、複数の第２周辺部１６ｄとは、図４に示すように、１つの反射シート１６（シート状の部材）に一体的に形成されている。また、図１に示すように、複数の第１底部１６ａと、複数の第１周辺部１６ｂとは、光源１５と同様の配置により、液晶セル１１の背面１１ｂに沿って、アレイ状に設けられている。なお、第１反射部１６０ａと光学シート１３とは、所定間隔ｈ（図２参照）離間して配置されている。また、複数の第１反射部１６０ａは、液晶セル１１の背面１１ｂに延びる方向に沿って略等間隔で配置されている。また、複数の第１周辺部１６ｂの光学シート１３側の各端部と、光学シート１３との間の距離（ｈ（＝ｒ−ｐ））（図２参照）は、略等しい。
【００４３】
第１底部１６ａは、液晶セル１１の背面１１ｂ側に配置され、液晶セル１１の背面１１ｂに沿って側方に延びる六角形形状を有している。したがって、第１底部１６ａは、液晶セル１１の表示面１１ａ（背面１１ｂ）に対して平行に配置されている。また、複数の第１底部１６ａの内側中央には、光源１５が１つずつ配置されている。例外的に、第２周辺部１６ｄの内側に配置される第１底部１６ａは、五角形形状または四角形形状を有している。また、第１底部１６ａには、中央に光源１５を通すための開口１６３（図４参照）が設けられている。なお、第２周辺部１６ｄの詳細については後述する。光源１５は、リアフレーム１４に対して固定されており、第１底部１６ａの開口１６３を通して、リアフレーム１４側から第１底部１６ａの背面１１ｂ側に露出するように配置されている。
【００４４】
第１周辺部１６ｂは、図５に示すように、前方から見て、光源１５（図２参照）の周囲を囲むように配置され、第１底部１６ａの端部から前方に向けて延びる六角形形状に形成されている。また、第１周辺部１６ｂは、第１底部１６ａの外周縁から背面１１ｂに向かって延びている。また、第１底部１６ａは、隣接する第１周辺部１６ｂの各辺に接触している。また、複数の第１周辺部１６ｂは、それぞれ、六角形形状の対向する１組の辺１６ｅ（図１参照）が液晶セル１１（図２参照）の横方向（Ｘ方向）に延びるように配置されている。また、第１周辺部１６ｂは、第１底部１６ａの面１６１（図２参照）と、第１周辺部１６ｂの面１６２（図２参照）とのなす角度θ１（図７に示す∠ＡＢＤ（角度θ）の補角）が鈍角となるように第１底部１６ａに対して傾斜している。なお、角度θ１は、９０より大きくかつ１３５度以下が好ましい。より好ましくは、角度θ１は、１２５度以上かつ１３５度以下が好ましい。これにより、第１周辺部１６ｂは、光源１５からの光を液晶セル１１に向けてよりバランスよく拡散することが可能となる。
【００４５】
また、図６に示すように、第１周辺部１６ｂは、第１底部１６ａに接触する外縁部に位置する上底と、上底よりも長い下底とを有する台形形状に形成されている。第１周辺部１６ｂの斜辺と、第１周辺部１６ｂの下底とのなす角度θ２は、６０度より大きくかつ９０未満に設定されるのが好ましい。また、隣接する第１周辺部１６ｂの斜辺は、互いに接触している。
【００４６】
上記の通り、図５に示すように、複数の第１底部１６ａと複数の第１周辺部１６ｂとは、１つの反射シート１６（シート状の部材）に一体的に形成されている。つまり、複数の第１底部１６ａと複数の第１周辺部１６ｂとは、１つのシート状の部材を所定箇所（後述する谷折り部１８ａおよび山折り部（後述する端部２０））において折り曲げることにより、１つのシート状の部材中に作り込まれている。なお、複数の第２底部１６ｃと複数の第２周辺部１６ｄとは、１つの反射シート１６（シート状の部材）に一体的に形成されている。さらに、複数の第１反射部１６０ａおよび複数の第２反射部１６０ｂは、１つの反射シート１６（シート状の部材）に一体的に形成されている。
【００４７】
反射シート１６（１つのシート状の部材）は、図６に示すように、複数の第１底部１６ａを構成する六角形形状部を含んでいる。また、反射シート１６は、複数の第１底部１６ａ（六角形形状部）を互いに接続し、複数の第１周辺部１６ｂを構成する複数の接続部１９を含んでいる。接続部１９は、図７に示すように、１つの第１周辺部１６ｂの１つの面、および、隣接する他の第１周辺部１６ｂの１つの面を形成している。また、接続部１９は、隣接する２つの第１底部１６ａの間に配置され、２つの第１底部１６ａを互いに接続している。したがって、接続部１９は、１つの第１周辺部１６ｂの周りに計６つ配置されている。なお、図７は、図６に示す折り曲げられた状態の反射シート１６の一部を示した図である。
【００４８】
接続部１９は、第１底部１６ａの端辺上に設けられる谷折り部１８ａ（図４において小ピッチの１点鎖線で示す部分）を有している。また、接続部１９は、２つの第１底部１６ａに接続されている。このため、１つの接続部１９は、互いに平行な２つの谷折り部１８ａを有している。この谷折り部１８ａは、反射シート１６が折り曲げられた状態において、図５〜図７に示すように、第１底部１６ａと第１周辺部１６ｂとの境界を構成している。
【００４９】
接続部１９は、隣接する第１周辺部１６ｂ（２つの谷折り部１８ａ）の中間に設けられる山折り部（後述する端部２０）（図４において大ピッチの１点鎖線で示す部分）を有している。山折り部（端部２０）は、谷折り部１８ａに対して平行である。また、山折り部（端部２０）は、反射シート１６が折り曲げられた状態において、第１周辺部１６ｂの液晶セル１１（図２参照）側の端部２０（頂部）を構成している。なお、第１周辺部１６ｂの液晶セル１１側の端部２０は、隣接する他の第１周辺部１６ｂの端部２０と隙間なく接続されている。１つの接続部１９は、谷折り部１８ａおよび山折り部（端部２０）を介して、２つの第１底部１６ａを接続し、第１周辺部１６ｂを構成している。
【００５０】
反射シート１６には、図８に示すように、隣接する３つの接続部１９の境界（内側）に配置され、反射シート１６を展開した形状（谷折り部１８ａおよび山折り部（端部２０）において折り曲げていない状態の反射シート１６の形状）が凹六角形形状を有する孔部２１が設けられている。
【００５１】
詳細には、反射シート１６には、２点鎖線で示す正三角形の各辺の中間点から正三角形の内側に山折り部（端部２０）が突き出していることにより、２点鎖線で示す正三角形の３点と正三角形の内側に位置する３点との計６点から、凹六角形形状の孔部２１が形成されている。２点鎖線は、接続部１９が接続される第１周辺部１６ｂの辺と直交する方向に延びている。したがって、２点鎖線の長さは、展開状態において隣接する第１周辺部１６ｂの間の離間距離(後述する長さｔの２倍)と等しい。また、反射シート１６は、図６に示すように、谷折り部１８ａおよび山折り部（端部２０）で折り曲げられた状態では、３つの接続部１９間の境界において孔部２１を塞いでいる。
【００５２】
ここで、反射シート１６を折り曲げた状態（孔部２１を塞いだ状態）における、第１周辺部１６ｂの傾斜角度θ（∠ＡＢＤの角度θ１の補角）（図２および図７参照）と、接続部１９の長さと、第１周辺部１６ｂの第１底部１６ａからの前後方向（Ｙ方向）の長さ（第１底部１６ａから第１周辺部１６ｂの端部２０までの前後方向の距離ｐ（辺ＡＤの長さ））との関係について説明する。
【００５３】
図８において、２点鎖線の中心を点Ａとする。また、２点鎖線の一方端を点Ｂとする。また、２点鎖線から孔部２１の内側に突き出した山折り部（端部２０）の頂点を点Ｃとする。そして、図７に示すように、反射シート１６を折り曲げた状態（孔部２１を塞いだ状態）において、点Ａおよび点Ｃを第１底部１６ａが位置する平面に投影した点を、それぞれ点Ｄおよび点Ｅとする。なお、以下の説明では、辺ＡＢの長さをｔ（接続部１９の長手方向の大きさ２ｔの半分）とする。また、辺ＡＣの長さをｕとする。
【００５４】
ここで、図７に示す∠ＤＢＥは、常に３０度になる。これは、前方から見て（Ｙ１方向から見て）、折り曲げていない状態の反射シート１６を示す図８の２点鎖線で示す正三角形と、折り曲げられた状態の反射シート１６を示す図５の２点鎖線で示す正三角形とが、常に相似形になり、図５において、点Ｃ（点Ｅ）が正三角形の中心に位置しているためである。つまり、前方からみると、∠ＡＢＣと∠ＤＢＥとが重なるとともに、∠ＡＢＣは正三角形を構成する１つの角（６０度）の半分に相当するためである。ここで、図７に示す直角三角形ＤＢＥについて考えると、辺ＤＥの長さは、辺ＡＣの長さに等しいため、ｕとなる。また、辺ＢＤの長さは、ｕ×√３となる。したがって、辺ＡＢの長さと、辺ＢＤの長さと、∠ＡＢＤの角度θとの間には、ｔ×ｃｏｓθ＝ｕ×√３という関係式が成り立つ。
【００５５】
この関係式より、長さｔが長さｕに対して大きい値である程（大きい値に設計される程）、角度θが大きくなる。すなわち、第１底部１６ａから第１周辺部１６ｂの端部２０までの前後方向の距離ｐ（辺ＡＤの長さ）（第１周辺部１６ｂの第１底部１６ａからの高さ）が大きくなる。逆に、長さｔが長さｕに対して小さい値である程（小さい値に設計される程）、角度θが小さくなる（∠ＡＢＤの角度θ１が大きくなる）。
【００５６】
角度θが９０度に近づくにつれて、第１底部１６ａから第１周辺部１６ｂの端部２０までの前後方向の距離ｐ（辺ＡＤの長さ）は、ｔに近づく。要するに、凹六角形形状の孔部２１を２点鎖線で示す正三角形形状（図８参照）に近づける程（２点鎖線からの山折り部（端部２０）の突き出し部分（辺ＡＣ）の長さを小さくする程）、角度θは大きくなる（∠ＡＢＤの角度θ１が小さくなる）。
【００５７】
第１周辺部１６ｂの液晶セル１１（図１参照）側の端部２０は、図２に示すように、光源１５よりも前方（Ｙ１方向）側に配置されている。すなわち、前後方向（Ｙ方向）における、第１底部１６ａから端部２０までの距離ｐは、光源１５の第１底部１６ａからの長さｑ（図２参照）よりも大きい。
【００５８】
ここで、第１底部１６ａと光学シート１３との間の離間距離をｒとする。端部２０は、光学シート１３から離間している。なお、離間距離ｈは、０．２ｒ以上かつ０．８ｒ以下であることが好ましい。より好ましくは、離間距離ｈは、０．２ｒ以上かつ０．５ｒ以下であることが好ましい。つまり、端部２０は、第１底部１６ａよりも光学シート１３に近い側に配置されることが好ましい。
【００５９】
図１に示すように、第２周辺部１６ｄは、光源１５の周囲を囲むように配置されている。また、第２周辺部１６ｄは、第１底部１６ａから液晶セル１１に向けて延びている。
【００６０】
第２周辺部１６ｄに囲まれる領域（第１底部１６ａ）の面積Ｓ１は、第１周辺部１６ｂに囲まれる領域（第１底部１６ａ）の面積Ｓ２よりも小さい。なお、面積Ｓ１となる第１底部１６ａとは、上記説明した、液晶セル１１の縁部１１ｃと重ならないように僅かに液晶セル１１の内側寄りに配置される光源１５が、内側に配置される第１底部１６ａである。したがって、面積Ｓ１の第１底部１６ａを囲む第２周辺部１６ｄは、第１底部１６ａに対応する形状（五角形形状または四角形形状）を有している。面積Ｓ１には、五角形形状の領域（第１底部１６ａ）の面積Ｓ１１と、四角形形状の領域（第１底部１６ａ）の面積Ｓ１２との２種類がある。なお、面積Ｓ１１は、面積Ｓ１２よりも大きい。
【００６１】
光強度調整部１７は、１つ設けられている。光強度調整部１７は、各光源１５のそれぞれに接続され、光源１５（発光素子１５１）の光の強度を個別に調整可能に構成されている。また、光強度調整部１７は、第２周辺部１６ｄに囲まれる光源１５の光の強度を第１周辺部１６ｂに囲まれる光源１５の光の強度よりも小さくするように構成されている。詳細には、光強度調整部１７は、第１周辺部１６ｂに囲まれる領域の面積Ｓ２と、第２周辺部１６ｄに囲まれる領域の面積Ｓ１（Ｓ１１およびＳ１２）とに応じて（比例して）、各光源１５の光の強度を調整するように構成されている。
【００６２】
具体的には、光強度調整部１７は、第２周辺部１６ｄに囲まれる光源１５の光の強度を、デューティ比を調整することにより、第１周辺部１６ｂに囲まれる光源１５の光の強度よりも小さくするように構成されている。たとえば、面積Ｓ１２（面積Ｓ２の半分）の領域を囲む第２周辺部１６ｄの内側の光源１５は、第１周辺部１６ｂに囲まれる光源１５の光の強度の半分の強度となるようにデューティ比が調整される。なお、デューティ比ではなく、光源１５に供給する電力値を変更して光の強度を調整してもよい。
【００６３】
（第１実施形態の効果）
第１実施形態では、以下のような効果を得ることができる。
【００６４】
第１実施形態では、上記のように、第１底部１６ａの面１６１と第１周辺部１６ｂの面１６２とが鈍角をなす、複数の第１反射部１６０ａと、液晶セル１１と第１反射部１６０ａとの間に配置された光学シート１３を設ける。これにより、光源１５からの出射光のうち、液晶セル１１の背面１１ｂに直交する方向に対して比較的大きな角度を有して出射される光を、第１底部１６ａと鈍角をなす第１周辺部１６ｂにおいて反射することにより、より液晶セル１１の背面１１ｂに直交する方向に沿った光とすることができるので、光学シート１３と第１反射部１６０ａとの隙間から他の光源１５の領域に光が漏れるのを抑制することができる。その結果、液晶セル１１の各光源１５の領域ごとの明暗のメリハリをより付けることができる。また、第１底部１６ａにより光を液晶セル１１側に反射することができるので、輝度を効果的に大きくすることができ、液晶セル１１のコントラスト比を向上させることができる。
【００６５】
また、第１実施形態では、上記のように、複数の第１反射部１６０ａを、略等間隔で配置する。これにより、各第１反射部１６０ａおよび各光源１５が略等間隔で配置されるので、各光源１５（第１反射部１６０ａ）の領域ごとに輝度むらができるのを抑制することができる。
【００６６】
また、第１実施形態では、上記のように、第１底部１６ａを、正六角形形状に形成し、隣接する第１周辺部１６ｂの各辺に接触させる。これにより、第１底部１６ａと隣接する第１周辺部１６ｂの各辺との間から光が漏れるのを抑制することができるので、光の漏れにより、輝度が低下するのを抑制することができる。
【００６７】
また、第１実施形態では、上記のように、複数の第１反射部１６０ａを、一体的に形成する。これにより、複数の第１反射部１６０ａを別々に形成するよりも、容易に複数の第１反射部１６０ａを形成することができる。
【００６８】
また、第１実施形態では、上記のように、複数の第１周辺部１６ｂの光学シート１３側の各端部２０と光学シート１３との間の距離を、等しくする。これにより、第１周辺部１６ｂの光学シート１３側の各端部と光学シート１３との間の距離が、種々の距離に設定されている場合と比較して、各光源１５（第１反射部１６０ａ）の領域ごとに輝度むらができるのを抑制することができる。
【００６９】
また、第１実施形態では、上記のように、鈍角θ１が９０°＜θ１≦１３５°という条件を満たすように、表示装置１００を構成する。これにより、光源１５からの光を好ましい角度により光学シート１３に向けて反射することができる。
【００７０】
また、第１実施形態では、上記のように、鈍角θ１が１２５°≦θ１≦１３５°という条件を満たすように、表示装置１００を構成する。これにより、光源１５からの光をより好ましい角度により光学シート１３に向けて反射することができる。
【００７１】
また、第１実施形態では、上記のように、第１底部１６ａの面１６１に垂直な方向において、第１底部１６ａと第１周辺部１６ｂの光学シート１３側の端部との間の距離を、第１底部１６ａと光源１５の光学シート１３側の端部との間の距離よりも長く設定する。これにより、液晶セル１１と光源１５との間に、第１周辺部１６ｂの光学シート１３側の端部２０が配置されるので、液晶セル１１と第１周辺部１６ｂの光学シート１３側の端部２０との間に光源１５が配置される場合と比較して、第１反射部１６０ａより多くの光を反射して、光の反射方向を調整することができる。その結果、隣接する領域に光が漏れることを抑制しつつ、液晶セル１１での明暗のメリハリをより付けることができる。
【００７２】
また、第１実施形態では、上記のように、隣接する第１周辺部１６ｂの斜辺を、互いに接触させる。これにより、第１周辺部１６ｂは、隣接する他の第１周辺部１６ｂと斜辺が接触するように配置されることにより、隙間なく第１底部１６ａを囲うように配置することができる。
【００７３】
また、第１実施形態では、上記のように、液晶セル１１を、矩形形状に形成し、外周縁を、液晶セル１１の長辺に平行に配置する。これにより、複数の第１反射部１６０ａは、それぞれ、六角形形状の対向する１組の辺が表示面１１ａの横方向に延びる場合には、光源１５が縦方向に直線的に隣接して並ぶように配列されるので、光源１５が並ぶ配列方向に沿って、光源１５の列単位で液晶の透過度を変えるなどの光の強度調整を行うことができる。その結果、光源１５の列内での輝度むらを抑制することができる。
【００７４】
また、第１実施形態では、上記のように、液晶セル１１を、矩形形状に形成し、液晶セル１１の長辺および短辺に沿って配置し、五角形形状または四角形形状の第２底部１６ｃと、第２底部１６ｃの外周縁から背面１１ｂに向かって延びる第２周辺部１６ｄとを有する複数の第２反射部１６０ｂを設け、第２底部１６ｃの面積Ｓ１を、第１底部１６ａの面積Ｓ２よりも小さくする。これにより、正六角形形状の第１底部１６ａを有する第１反射部１６０ａと、五角形形状または四角形形状の第２底部１６ｃを有する第２反射部１６０ｂとを敷き詰めて矩形形状とすることができるので、隙間なく液晶セル１１の背面１１ｂ側に光源１５からの光を反射するための構成を配置することができる。その結果、光源１５からの光を効率的に液晶セル１１側に反射することができる。
【００７５】
また、第１実施形態では、上記のように、光源１５を、第２底部１６ｃの面１６２上にそれぞれ配置し、第２底部１６ｃの面上に配置された光源１５の光の強度を、第１底部１６ａの面上に配置された光源１５の光の強度よりも小さくする光強度調整部１７を設ける。これにより、小さい面積の第２底部１６ｃ側に配置される光源１５の光の強度が小さくされるので、液晶セル１１の縁部１１ｃ近傍（外側）の光源１５と液晶セル１１の内側の光源１５とに（つまり、光源が配置される領域の大きさに）起因する輝度むらを抑制することができる。
【００７６】
また、第１実施形態では、上記のように、光強度調整部１７を、デューティ比に基づいて、光源１５の光の強度を調整する。これにより、デューティ比を調整することにより、容易に光源１５の光の強度を調整することができる。
【００７７】
また、第１実施形態では、上記のように、複数の第１反射部１６０ａおよび複数の第２反射部１６０ｂを、一体的に形成する。これにより、複数の第１反射部１６０ａおよび複数の第２反射部１６０ｂがそれぞれ別体で構成される場合と比較して、部品点数を減らし、装置構成を簡素化することができる。
【００７８】
（第２実施形態）
次に、図１および図９を参照して、第２実施形態について説明する。この第２実施形態では、レンズ部１５ｂを設けて発光素子１５１からの光を、周方向に略均等に出射した上記第１実施形態と異なり、レンズ部を設けずに発光素子１５１からの光を、周方向に略均等に出射する例について説明する。
【００７９】
図９に示すように、第２実施形態による表示装置２００（図１参照）では、光源２１５は、発光素子１５１と、封止部１５２と、発光素子１５１および封止部１５２の後方に配置される反射部２５３とを有する発光素子パッケージ２１５ａを含んでいる。
【００８０】
反射部２５３は、円形状に形成されるとともに、発光素子１５１からの光を周方向に略均等に反射するように構成されている。反射部２５３により周方向に反射された光は、主に、光学シート１３および第１周辺部１６ｂに照射される。
【００８１】
第２実施形態のその他の構成は、上記第１実施形態と同様である。
【００８２】
（第２実施形態の効果）
第２実施形態では、以下のような効果を得ることができる。
【００８３】
第２実施形態では、上記第１実施形態と同様に、第１底部１６ａの面１６１と第１周辺部１６ｂの面１６２とが鈍角をなす、複数の第１反射部１６０ａと、液晶セル１１と第１反射部１６０ａとの間に配置された光学シート１３を設ける。これにより、光学シート１３と第１反射部１６０ａとの隙間から他の光源１５の領域に光が漏れるのを抑制することができる。その結果、液晶セル１１の各光源１５の領域ごとの明暗のメリハリをより付けることができる。
【００８４】
第２実施形態のその他の効果は、上記第１実施形態と同様である。
【００８５】
（第３実施形態）
次に、図１を参照して、第３実施形態について説明する。この第３実施形態では、１つの反射シート１６を折り曲げて第１底部１６ａ、第１周辺部１６ｂおよび第２周辺部１６ｄを形成した上記第１実施形態と異なり、第１底部１６ａ、第１周辺部１６ｂおよび第２周辺部１６ｄを、金型を用いた一体成形により形成する例について説明する。
【００８６】
図１に示すように、第３実施形態による表示装置３００（図１参照）は、反射部材３１６を備えている。反射部材３１６には、第１底部１６ａ、第１周辺部１６ｂおよび第２周辺部１６ｄが金型を用いた射出成型により一体的に形成されている。具体的には、第１底部１６ａ、第１周辺部１６ｂおよび第２周辺部１６ｄは、形状に対応するキャビティを有する金型に成形機によって樹脂を流し込むことにより、一体的に形成されている。
【００８７】
第３実施形態のその他の構成は、上記第１実施形態と同様である。
【００８８】
（第３実施形態の効果）
第３実施形態では、以下のような効果を得ることができる。
【００８９】
第３実施形態では、上記第１実施形態と同様に、第１底部１６ａの面１６１と第１周辺部１６ｂの面１６２とが鈍角をなす、複数の第１反射部１６０ａと、液晶セル１１と第１反射部１６０ａとの間に配置された光学シート１３を設ける。これにより、光学シート１３と第１反射部１６０ａとの隙間から他の光源１５の領域に光が漏れるのを抑制することができる。その結果、液晶セル１１の各光源１５の領域ごとの明暗のメリハリをより付けることができる。
【００９０】
第３実施形態のその他の効果は、上記第１実施形態と同様である。
【００９１】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００９２】
たとえば、上記第１〜第３実施形態では、第１周辺部１６ｂを、六角形形状の対向する１組の辺１６ｄが液晶セル１１の横方向（Ｘ方向）に延びるように構成した例を示したが、本発明はこれに限られない。本発明では、図１０に示す第２変形例のように、第１周辺部１６ｂを、六角形形状の対向する１組の辺１６ｄが液晶セル（図１参照）の縦方向（Ｚ方向）に延びるように構成してもよい。
【００９３】
また、上記第１〜第３実施形態では、第１周辺部の表示部側の端部と光処理部との間の離間距離を、第１底部と光処理部との間の離間距離の半分よりも小さくした例を示したが、本発明はこれに限られない。本発明では、第１周辺部の表示部側の端部と光処理部との間の離間距離を、第１底部と光処理部との間の離間距離の半分よりも大きくしてもよい。
【００９４】
また、上記第１〜第３実施形態では、光強度調整部により、縁部壁状反射部に囲まれる光源を光の強度を、第１周辺部に囲まれる光源の強度よりも小さくなるように調整した例を示したが、本発明はこれに限られない。本発明では、光強度調整部による調整を行わなくてもよい。
【００９５】
また、上記第１〜第３実施形態では、第１反射部１６０ａと光学シート１３との間の所定間隔ｈを０．２ｒ以上かつ０．８ｒ以下（より好ましくは０．２ｒ以上かつ０．５ｒ以下）に設定した例を示したが、本発明はこれに限られない。本発明では、所定間隔ｈを、たとえば、０より大きくかつ０．０４ｒ以下などの、０．２ｒ以上かつ０．８ｒ以下の範囲以外の範囲で設定してもよい。
【００９６】
また、上記第１〜第３実施形態では、光強度調整部１７によりデューティ比を変えることによって、光源の光の強度を調整した例を示したが、本発明はこれに限られない。本発明では、光強度調整部１７により光源に供給する電力値を調整することによって、光源の光の強度を調整してもよい。
【００９７】
また、上記第１〜第３実施形態では、第１底部を正六角形形状に形成した例を示したが、本発明はこれに限られない。本発明では、第１底部を正六角形形状に形成しなくてもよい。たとえば、第１底部を正三角形形状に形成してもよい。
【符号の説明】
【００９８】
１１  液晶セル（表示部）
１１ｂ  背面
１３  光学シート（光処理部）
１５、２１５  光源
１６ａ  第１底部
１６ｂ  第１周辺部
１６ｃ  第２底部
１６ｄ  第２周辺部
１７  光強度調整部
２０  端部
１００、２００、３００  表示装置
１６０ａ  第１反射部
１６０ｂ  第２反射部
１６１  第１底部の面
１６２  第１周辺部の面
【図１】
2018018622.tif 000003
【図２】
2018018622.tif 000004
【図３】
2018018622.tif 000005
【図４】
2018018622.tif 000006
【図５】
2018018622.tif 000007
【図６】
2018018622.tif 000008
【図７】
2018018622.tif 000009
【図８】
2018018622.tif 000010
【図９】
2018018622.tif 000011
【図１０】
2018018622.tif 000012